(57)【要約】【課題】スキャナー、プリンタ、デジタル音楽レコーダー、デジタルカメラ、ＭＰ３プレーヤなど、異なるデジタル機器が混在して用いられるネットワーク上においても、デジタルデータのやり取りが可能になり、不正なコピーが容易なデジタルデータの配信および出力において効果的に対処することができるネットワークシステムを提供すること。【解決手段】複数の機器からなるネットワークシステムにおいて、入力情報に対して所定の付加情報を耐性強く付加する付加手段と、前記付加情報を付加した前記入力情報を、付加入力情報としてネットワーク上に送信する送信手段と、を有する入力機器と、前記ネットワーク上に配信された前記付加入力情報を受信する受信手段と、前記受信手段により抽出された付加情報の内容に応じて、前記入力情報の扱いを決定する有することを特徴とするネットワークシステム。【選択図】        図１
2004304715.tif 000002
【特許請求の範囲】
【請求項１】
複数の機器からなるネットワークシステムにおいて、
入力情報に対して所定の付加情報を耐性強く付加する付加手段と、
前記付加情報を付加した前記入力情報を、付加入力情報としてネットワーク上に送信する送信手段と、
を有する入力機器と、
前記ネットワーク上に配信された前記付加入力情報を受信する受信手段と、
前記受信手段により受信した前記付加入力情報から、前記付加情報を抽出する抽出手段と、
前記抽出手段により抽出された付加情報の内容に応じて、前記入力情報の扱いを決定する判断手段と、
を有する出力機器と、
を有することを特徴とするネットワークシステム。
【請求項２】
請求項１に記載のネットワークシステムにおいて、前記付加情報は、前記付加手段、前記通信手段を用いて前記付加入力情報を送信する機器の前記ネットワーク上のアドレスを特定する情報であることを特徴とするネットワークシステム。
【請求項３】
請求項１に記載のネットワークシステムにおいて、前記付加情報は、前記付加手段、前記通信手段を用いて前記付加入力情報を送信する機器の種類を特定できる情報であることを特徴とするネットワークシステム。
【請求項４】
請求項１に記載のネットワークシステムにおいて、前記付加手段は、前記付加情報を透かし情報として埋込むことを特徴とするネットワークシステム。
【請求項５】
請求項１に記載のネットワークシステムにおいて、前記入力機器と前記出力機器は、その両方を持ち合わせる機器として前記ネットワーク上にあっても構わなく、また片方の機能しか持たない機器として前記ネットワーク上にあっても構わないことを特徴とするネットワークシステム。
【請求項６】
請求項１に記載のネットワークシステムにおいて、前記抽出手段は、前記付加入力情報の中から透かし情報を抽出することを特徴とするネットワークシステム。
【請求項７】
請求項１に記載のネットワークシステムにおいて、前記付加手段および前記抽出手段は、透かしの埋込みおよび抽出に際して共通の秘密情報を用いることを特徴とするネットワークシステム。
【請求項８】
請求項１に記載のネットワークシステムにおいて、前記秘密情報は、前記付加情報の位置または前記付加情報に対する変化量であることを特徴とするネットワークシステム。
【請求項９】
請求項１に記載のネットワークシステムにおいて、前記判断手段は、前記抽出手段において前記入力付加情報から前記付加情報を抽出する際に、前記秘密情報を使って前記付加情報を抽出できなかった場合には、前記入力情報を出力しないことを特徴とするネットワークシステム。
【請求項１０】
請求項１に記載のネットワークシステムにおいて、前記判断手段は、前記抽出手段において前記入力付加情報から前記付加情報を抽出する際に、前記秘密情報を使っても前記付加情報を抽出できなかった場合には、前記入力情報を出力しないことを特徴とするネットワークシステム。
【請求項１１】
請求項１に記載のネットワークシステムにおいて、前記判断手段は、前記抽出手段において前記入力付加情報から前記付加情報を抽出し、その情報の内容であるビット値に応じて出力許可、不許可を判定することを特徴とするネットワークシステム。
【請求項１２】
請求項１に記載のネットワークシステムにおいて、前記判断手段は、前記抽出手段において前記入力付加情報から前記付加情報を抽出し、その付加情報に記載されている前記ネットワーク上のアドレスが、予め設定されている複数のアドレスと一致しない場合には出力を行わないことを特徴とするネットワークシステム。
【請求項１３】
請求項１に記載のネットワークシステムにおいて、前記判断手段は、前記抽出手段において前記入力付加情報から前記付加情報を抽出し、その付加情報に記載されている機器の種類が、予め設定されている複数の機器の種類と一致しない場合には出力を行わないことを特徴とするネットワークシステム。
【請求項１４】
請求項１に記載のネットワークシステムにおいて、前記付加手段は、前記付加情報を前記入力情報に対して付加する際に、それに対応する前記抽出手段を用いて、それ以前の付加情報の検査を行うことを特徴とするネットワークシステム。
【請求項１５】
複数の機器からなるネットワークシステムにおいて、
入力情報を入力する入力手段と、
前記入力手段によって入力された前記入力情報をネットワーク上に送信する送信手段と、
を有する入力機器と、
前記ネットワーク上に配信された前記入力情報を受信し、受信した前記入力情報に対して所定の付加情報を耐性強く付加する付加手段と、
前記付加情報を付加した前記入力情報を、付加入力情報としてネットワーク上に送信する送信手段と、
を有する情報管理機関と、
前記ネットワーク上に配信された前記付加入力情報を受信する受信手段と、
前記受信手段により受信した前記付加入力情報から、前記付加情報を抽出する抽出手段と、
前記抽出手段により抽出された付加情報の内容に応じて、前記入力情報の扱いを決定する判断手段と、
を有する出力機器と、
を有することを特徴とするネットワークシステム。
【請求項１６】
請求項１５に記載のネットワークシステムにおいて、前記情報管理機関は、前記入力情報を入力した前記入力機器の前記ネットワーク上のアドレスを特定する情報を前記付加情報として前記付加手段によって埋込むことを特徴とするネットワークシステム。
【請求項１７】
請求項１５に記載のネットワークシステムにおいて、前記情報管理機関は、前記入力情報を入力した前記入力機器の、機器の種類を特定する情報を前記付加情報として前記付加手段によって埋込むことを特徴とするネットワークシステム。
【請求項１８】
請求項１、１５に記載のネットワークシステムにおいて、前記入力機器は、紙、写真などの静止画像を入力するスキャナーのような静止画像入力機器であることを特徴とするネットワークシステム。
【請求項１９】
請求項１、１５に記載のネットワークシステムにおいて、前記入力機器は、人物、風景などの静止画像を入力するデジタルカメラのような静止画像入力機器であることを特徴とするネットワークシステム。
【請求項２０】
請求項１、１５に記載のネットワークシステムにおいて、前記入力機器は、スポーツ、走行列車などの動画画像を入力するデジタルビデオカメラのような動画画像入力機器であることを特徴とするネットワークシステム。
【請求項２１】
請求項１、１５に記載のネットワークシステムにおいて、前記入力機器は、音楽、音声などの音声情報を入力するデジタル音楽レコーダーのような音声入力機器であることを特徴とするネットワークシステム。
【請求項２２】
請求項１、１５に記載のネットワークシステムにおいて、前記入力機器は、手書き文字、線などの文字情報を入力するタブレットのような文字・ライン入力機器であることを特徴とするネットワークシステム。
【請求項２３】
請求項１、１５に記載のネットワークシステムにおいて、前記出力機器は、静止画像を出力するプリンタのような静止画像出力機器であることを特徴とするネットワークシステム。
【請求項２４】
請求項１、１５に記載のネットワークシステムにおいて、前記出力機器は、動画画像を出力するデジタルビデオプレーヤのような動画画像出力機器であることを特徴とするネットワークシステム。
【請求項２５】
請求項１、１５に記載のネットワークシステムにおいて、前記出力機器は、音声情報を出力するデジタル音楽プレーヤのような音声出力機器であることを特徴とするネットワークシステム。
【請求項２６】
請求項１８、２５に記載のネットワークシステムにおいて、前記入力機器および前記出力機器は、それぞれ重複する機能を有する入出力機器であることを特徴とするネットワークシステム。
【発明の詳細な説明】
【０００１】
【発明の属する技術分野】
本発明は、デジタル画像データの画像処理の分野に関わり、特にデジタル画像データへ電子透かしを埋め込むことにより著作権の保護、偽造防止、各種情報記録等を行う画像処理装置、方法、及びそれを記憶した記憶媒体に関するものである。
【０００２】
【従来の技術】
画像をデジタルデータとして扱うデジタル画像には、従来のアナログ画像と比較し、コンピュータなどによって簡単に画質を劣化すること無くコピーでき、通信回線を通じて電送することが出来るといった特徴がある。以上の特徴によりデジタル画像は安易に不正コピーされ再配布されてきた。これを防ぐための方法の一つとして電子透かしと呼ばれる手法がある。
【０００３】
電子透かしには、大きく分類して著作権情報、利用者情報等の透かし情報を目に見えない形で埋め込む不可視の電子透かしと、画像上に著作権を保有する会社のロゴ等の透かし画像を目に見える形で形成する可視の電子透かしとが考えられる。
【０００４】
不可視の電子透かしでは、透かし情報が埋め込まれているということが、埋め込み画像を一見しただけでは認識できない。従って、透かし情報の削除は行われにくいものの、不正コピー、不正配布は可視型に比べ行われ易い。ただし、たとえデジタルデータが不正にコピー又は配布された場合でも、デジタルデータ中には透かし情報が残っているので、透かし情報として埋め込まれたユーザＩＤ等を抽出することにより、不正ユーザを特定する事ができる。ここで、埋め込まれた情報が画像中のどの位置にあるかという情報またはその関連情報（埋め込み位置が乱数的に定まっている場合その乱数発生のための初期値など）は透かし情報を抽出のための鍵情報として秘密に保存されているとする。
【０００５】
不可視の電子透かしの代表的なものとして、入力画像に対し高速フーリエ変換、離散コサイン変換、ウェーブレット変換等の周波数変換を行い、周波数領域に埋め込む手法やパッチワークと呼ばれる空間領域に直接埋め込む手法などが知られている。一般に、不可視の電子透かしはそのままで利用可能であり、不正利用を追跡するために埋め込んだ情報は除去されることがなく（原画像に復元されない）、非可逆な変換と言える。
【０００６】
可視の電子透かしでは、透かし情報は、デジタル画像上に目で見える形で書き込まれているので、そのままでは利用し辛く、不正コピー、不正配布を思いとどまらせる効果がある。可視型の電子透かしの埋め込み方法として、従来、著作権所有者のロゴ等を表した画像の各画素値を、原画像中の指定領域の第ｍビット目の画素値と置き換える事により、著作情報を原画像に張り込むといった手法がある。画素中の最下位ビットを第０ビットとすると、ｍは人間の目に識別しやすいように比較的上位のビット位置をとる。
【０００７】
可視透かしは不可視の透かしと異なりそのままでは利用しにくいために、その画像を利用したい場合には透かし情報を取り除き原画像を復元する必要がある。そのために、置き換えた第ｍビット目の画素値を鍵情報として秘密に保存しておき、画像の復元はその鍵情報である保存画素値と透かし情報を表した画像の画素値とを再び置き換える。よって、一般に可視透かしは可逆な変換である。
【０００８】
【発明が解決しようとする課題】
以上のように電子透かし方式にはその特徴に応じて種々の方式がある。また、電子透かしを用いてディジタルデータの不正コピー、及び不正出力を防止しようという入出力機器も多い。しかし、それらの入出力機器が独立に電子透かし方式を選択してデータに電子透かしを埋め込んだ場合、例えば、出力物に対して、企業のロゴを重ねたり、デジタル音楽データにノイズを入れたりする場合、その電子透かしの方式に関して、各入出力機器の電子透かし方式の埋め込み処理と抽出処理は一対一に対応しており互換性がない。
【０００９】
そこで、本発明は、異なるデジタル機器が混在して用いられるネットワーク上においても、デジタルデータのやり取りが可能になり、各機器を示す対応ビットを電子透かし情報としてデジタルデータに埋込み、対応ビットもしくは鍵情報が一致しない場合には、出力できない構成とすることで、不正なコピーが用意なデジタルデータの配信および出力において効果的に対処することができるネットワークシステムを提供することを目的とする。
【００１０】
【課題を解決するための手段】
本発明は上述の課題を解決することを目的として成されたもので、上述の課題を解決する一手段として、以下の構成を備える。
【００１１】
本発明は上記の問題点に鑑みてなされたものであり、種々の電子透かし方式に対して効率的に著作物の保護を実現する方式及びシステムを提供することを目的とする。
【００１２】
【発明の実施の形態】
（第１の実施の形態）
図１は、本発明の第１の実施の形態を説明する概略図のうち、電子透かしの埋め込みに関する部分を示したものである。特に、ネットワーク上に各入出力機器が接続され、電子情報のやり取りが可能な構成を持ち、各入出力機器には各々電子透かしの埋込みおよび抽出が可能な構成を示したものである。
【００１３】
図１の１００はマルチファンクションデジタル複写機であり、デジタルデータの入力を行うスキャナー部、デジタルデータの出力を行うプリンタ部、デジタルデータの記憶蓄積などを行うイメージセッター部、ファクシミリ送受信を行うファクシミリ部などから構成される機器である。
【００１４】
１１０はスキャナーであり、デジタルデータの入力を行うことが出来る、例えばフラッドベットスキャナーなどである。
【００１５】
１２０はプリンターであり、入力されたデジタルデータの出力を行うことが出来る、例えばレーザープリンタ、ＢＪプリンタなどである。
１３０はホストコンピュータであり、デジタルデータの作成および加工などを行うことが出来る。
【００１６】
１４０はイメージサーバーであり、デジタルデータの記憶蓄積をする。
１５０はデジタル入力機であり、デジタルデータの入力を行う、例えば静止画を入力するデジタルカメラや、動画を入力するデジタルビデオカメラ、音声を入力するデジタルレコーダーなどである。
【００１７】
１６０はデジタル出力機であり、デジタルデータの出力を行う、例えば静止画を表示するディスプレー、動画を表示するデジタルビデオデッキ、音声を再生するデジタルプレーヤなどである。
【００１８】
１７０は各入出力機器をつなぐネットワークＬＡＮであり、各入出力機器には、ＬＡＮ１７０に接続する通信手段を有する。
【００１９】
１０１は透かし埋込部であり、所定の電子透かしを所定のデジタルデータに埋込む処理を行う手段である。１１１、１３１、１４１、１５１も同様に透かし埋込部である。
【００２０】
１０２は透かし抽出部であり、所定のデジタルデータの中から所定の電子透かしを抽出する処理を行う手段である。１２２、１３２、１４２、１６２も同様に透かし抽出部である。
【００２１】
ここで、各透かし埋込部１０１、１１１、１３１、１４１、１５１で実現される電子透かし方式は以下の特徴をもつ。
１）電子透かしは比較的少ない情報量で耐性の強い電子透かしを実現する。
２）電子透かしは鍵なしまたは共通の鍵によって電子透かしを抽出できる。
３）電子透かしは少なくとも各電子透かし方式またはそれを用いて埋め込みを行った各入出力機を特定する情報を埋め込む。
４）電子透かしは他の異なる電子透かし埋め込みに対する耐性をもつ。
【００２２】
上記の特徴をもつ電子透かしとしては種々の方式が考えられるが、耐性の強さを説明する一例として以下の方式を示す。
【００２３】
著作物である入力データを静止画像とした場合、その静止画の画像データを８×８画素のブロックに分割し、そのブロック毎にＤＣＴ（Ｄｉｓｃｒｅａｔｅ  Ｃｏｓｉｎｅ  Ｔｒａｎｓｆｏｒｍ：離散的コサイン変換）を行う。以下、そのＤＣＴしたブロックをＤＣＴ係数ブロック、ＤＣＴ係数ブロックの１係数をＤＣＴ係数、１枚の画像のＤＣＴ係数ブロックの集合をＤＣＴ係数ブロック群と呼ぶとする。
【００２４】
図７（ａ）に示すように入力画像Ｘを画像変換器７０１によってＤＣＴ変換し、その出力であるＤＣＴ係数ブロック群を電子透かし埋め込み器７０２の入力として用いる。そして、ＤＣＴ係数ブロック群の中で、埋め込むＤＣＴ係数ブロックを１つ選択し、そのＤＣＴ係数ブロック中の１つのＤＣＴ係数を量子化することによって１ビットの埋め込みビットを埋め込む。この時の、量子化ステップの大きさが埋め込みの強度を決定し、その量子化ステップの大きさと選択したＤＣＴ係数の位置が鍵情報に対応する。
【００２５】
例として、座標ｕ、ｖの位置にあるＤＣＴ係数の値をｓ｛ｕ、ｖ｝、量子化ステップをｈと表わし、以下に示すような規則により、電子透かしビットの０或いは１を埋め込む。
ａ・ｈ＜ｓ｛ｕ、ｖ｝≦（ａ＋１）・ｈ  （１）
となるａを求める。
【００２６】
埋め込みビット＝０の時  ｃ｛ｕ、ｖ｝＝ｂ・ｈ＋ｈ／２  （ｂはａまたはａ＋１の偶数の方）  （２）
埋め込みビット＝１の時  ｃ｛ｕ、ｖ｝＝ｂ・ｈ＋ｈ／２（ｂはａまたはａ＋１の奇数の方）  （３）
となる操作を行い、ｃ｛ｕ、ｖ｝を埋め込み後の係数とする。
【００２７】
最後に、そのブロック群を逆変換器７０３を用いてＩＤＣＴ（Ｉｎｖｅｒｓｅ  ＤＣＴ：逆ＤＣＴ）をおこなって、８×８画素のブロックにもどし、それを再構成する。
【００２８】
抽出は図７（ｂ）に示すように７０１を用いて同様のＤＣＴをしたＤＣＴ係数ブロック群から電子透かし抽出器７０４によって鍵情報を用いて埋め込んだＤＣＴ係数を選択し、
ｂ・ｈ＜ｃ｛ｕ、ｖ｝≦（ｂ＋１）・ｈ  （４）
となるｂを求め、ｂが偶数ならば埋め込みビットは０と判断し、奇数ならば１と判断する。
【００２９】
この埋め込み方式において耐性を強化するには以下の手法が考えられる。
【００３０】
ＤＣＴ係数ブロックの中から埋め込みを行う１つのＤＣＴ係数を選択するときに、低周波成分を表わすＤＣＴ係数を選べば耐性を強くすることができる。これは、高周波成分が画像圧縮や種々のフィルタリング処理によって失われやすいのに対して低周波成分は失われにくいためである。
【００３１】
また、上記の埋め込み方式では選択するＤＣＴ係数ブロック、及び埋め込むＤＣＴ係数を１つとして説明したが、その数を増すことによっても耐性を強くすることができる。これは、１ビットに対して１つのＤＣＴ係数に埋め込んだのみであれば画像圧縮や種々のフィルタリング処理によってその値が失われる可能性が大きいが、複数のＤＣＴ係数に同じビットを埋め込んでおけばその大半が失われる可能性が少なくなるためである。
【００３２】
また、埋め込むビット自体を誤り訂正符号化することによっても耐性を強くすることが出来る。これは、埋め込みビットのいくつかが失われても誤り訂正符号によって復元されるためである。ここで、用いる誤り訂正符号の訂正能力が高ければ高いほど耐性が強くなるのは明らかである。ただし、これらの手法は耐性を強くするが、画像の低周波成分を変化させたり、多くのビットを埋め込むために画像の品質が劣化する。
【００３３】
また、多くのＤＣＴ係数を用いて同じビットを埋め込むために、埋め込めるビットは少なくなることが多い。また、逆の操作を行えば、耐性は弱くなるが画質が良く、埋め込める情報量も多い電子透かし手法が実現できる。
【００３４】
以上のような耐性を強化する手法はＤＣＴを用いる手法に限らず、ウェーブレット変換やフーリエ変換を用いる手法や、直接画素の輝度値などを操作する手法に対しても同じ傾向をもつと言える。
【００３５】
次に、図１を参照にして透かしの埋め込み手順を説明する。ここでは、電子透かしによって埋め込む情報を簡単のために図２に示すように、対応ビットとして０００、００１、０１０、０１１、１００、１０１、１１０、１１１する。これは、各々マルチファンクション複写機１００、スキャナー１１０、プリンタ１２０、ホストコンピュータ１３０、イメージサーバー１４０、デジタル入力機１５０、デジタル出力機１６０に対してデジタルデータの送受信が可能な機器を特定する３ビットの情報とするが、ビット数はこれに限るものではないし、個々にビット  対応ビットを付けるのではなく、機器の種類、例えば、プリンタ系の機器は０００、スキャナー系の機器には１００を付加するように、他の情報を設定することもできることは明らかである。
【００３６】
また、対応ビットを持つ、マルチファンクション複写機１００、スキャナー１１０、プリンタ１２０、ホストコンピュータ１３０、イメージサーバー１４０、デジタル入力機１５０、デジタル出力機１６０の各機器には、各透かし埋込部１０１、１１１、１３１、１４１、１５１および各透かし抽出部１０２、１２２、１３２、１４２、１６２に共通の鍵情報が備わっている。
【００３７】
２００、２１０、２２０は各々対応ビットを持たないデジタル入出力機であり、２００は透かし埋込部を持つが、２１０は透かし埋込部を持っていない。また２２０は透かし埋込部は持っているが鍵情報が異なる。
【００３８】
各機器はＬＡＮ１７０上において配布するデジタルデータに対して、上記（１）、（４）の特徴をもつ耐性の強い電子透かしを透かし埋込部１０１、１１１、１３１、１４１、１５１を用いて自機器に対応するビットを埋め込む。例えば、マルチファンクション複写機１００であれば０００を埋込み、デジタル入力機１５０であれば１０１を埋込む。
【００３９】
ＬＡＮ１７０上に配信されたデジタルデータは、透かし抽出部１０２、１２２、１３２、１４２、１６２を用いて電子透かしによる埋め込み情報を抽出する。これによって、所定の透かしの埋め込みを行った機器を特定し、そのデジタルデータを出力するかどうかを決める。
【００４０】
すなわち、電子透かしの情報から、出力機に配信されてきたデジタルデータが、不正な手段により入力されたデジタルデータではなく、所定のマルチファンクション複写機１００、スキャナー１１０、デジタル入力機１５０などの入力機により入力されたデジタルデータであることを入力機の対応ビットから判断する。またＬＡＮ１７０上を介して配信されてきたデジタルデータが、所定のホストコンピュータ１３０や、イメージサーバー１４０などに記憶蓄積されたデジタルデータであることを判断する。判断の結果、所定の機器であることを認証された場合には、配信されたデジタルデータの出力を行い、認証されない場合には、配信されたデジタルデータの出力を行わない。
【００４１】
さらには、配信されてきたデジタルデータに対して透かし抽出を行う際に、鍵情報が合わない場合もしくは透かし情報を得ることが出来ない場合にも、配信されたデジタルデータの出力を行わない。
【００４２】
例えば、デジタル入力機１５０であるデジタル音楽レコーダーから配信されてきたデジタルデータをデジタル出力機１６０であるデジタル音楽プレーヤで出力する場合には、デジタル入力機１５０上の透かし埋込部１５１において、対応ビット１０１を埋込み、ＬＡＮ１７０を介してデジタル出力機１６０に配信する。デジタル出力機１６０では透かし抽出部１６２において電子透かしの抽出を行い、対応ビット１０１を得て、この対応ビットを図示しない記憶装置に記述されている対応ビット表と照らし合わせて、出力許可を与えても良いデジタルデータと判断すれば出力を行う。
【００４３】
これがもし、透かし埋込部を持っていても、対応コードを持たないデジタル入力機２００からの配信デジタルデータであれば、デジタル出力機１６０の透かし抽出部１６２において電子透かしの抽出を行っても対応ビットは抽出できず、デジタル出力機１６０では出力を行うことが出来ない。また、透かし埋込部を持たないデジタル入力機２１０からの配信の場合には、透かし情報が入っていないため、デジタル出力機１６０では出力を行うことが出来ない。透かし埋込部を持っていても、鍵情報の異なる電子透かし埋込み方法により透かし情報を埋込むデジタル入力機２２０からの配信の場合には、鍵情報が異なるため、デジタル出力機１６０では出力を行うことが出来ない。
【００４４】
本発明によって、異なるデジタル機器が混在して用いられるネットワーク上においても各機器を示す対応ビットを電子透かし情報としてデジタルデータに埋込み、対応ビットもしくは鍵情報が一致しない場合には、出力できない構成とすることで、不正なコピーが用意なデジタルデータの配信および出力において効果的に対処することができる。
【００４５】
（第２の実施の形態）
図３は、本発明の第２の実施の形態を説明する概略図のうち、電子透かしの埋め込みに関して、３００に示した透かし情報管理機関による第三者的な立場の機関によって行う場合の実施例を示す図である。
【００４６】
１００、１１０、１２０、１３０、１４０、１５０、１６０、１７０およびそれに設置される透かし抽出部は第１の実施例で示した図１のそれであり、３００は透かし情報管理機関であり、電子透かし情報の埋込みを行う機関である。
【００４７】
以降説明を簡単にするために、前実施例に示したものは同じ番号を用い説明を省略する。また、透かし情報管理機関３００は音楽著作物に対するＪＡＳＲＡＣや、出版関係の著作権を扱う機関、その他、各機器の販売会社などのような統一的な著作権管理機関が考えられ、１００、１１０、１２０、１３０、１４０、１５０、１６０などは、透かし情報管理機関３００によって管理されている著作物をユーザに販売する販売店のような形態の中に存在することが考えられるが、本特許では運用の形態について特定するものではなく、透かし情報において対応する機器を管理し、その対応ビットもしくは透かしの鍵情報が一致した場合に、ネットワーク上の配信デジタルデータの出力を可能とするのが、発明者の意図した発明である。
【００４８】
この場合はマルチファンクション複写機１００で入力したり、スキャナー１１０で入力したデジタルデータは、透かし情報管理機関３００に登録し、電子透かし埋め込み手段である透かし埋込部３０１によって、対応する対応ビットの埋込みを施される。図３においてはマルチファンクション複写機１００は０００が、スキャナー１１０は００１が対応ビットとして埋込まれる情報である。
【００４９】
透かし情報管理機関３００は、電子透かし情報をデジタルデータに埋め込んだ後、図示しない記憶装置に記憶しても良いし、マルチファンクション複写機１００、スキャナー１１０に返信する構成でも良いし、プリンタ１２０の要請により、プリンタ１２０にデジタルデータを送信しても良い。
【００５０】
いずれにしても、電子透かし情報として対応ビットを埋込まれたデジタルデータは、透かし抽出部１２２によって抽出され、鍵情報が一致し、出力を許可する対応ビットであることが認証された場合にプリンタ１２０によって出力される。
【００５１】
これは例えば、デジタル入力機１５０であるデジタル音楽レコーダーで録音されたデジタル音楽データを透かし情報管理機関３００で透かし情報を付加し、著作権保護を行う。その後、そのデジタル音楽データを入手したいユーザーが持つデジタル出力機１６０であるデジタル音楽プレーヤーにそのデジタル音楽データをダウンロードする際に、課金を受ける代わりに鍵情報をもらい、その鍵情報によりデジタル音楽データから透かし情報を抽出する。そして透かし情報にある対応ビット情報を、あらかじめデジタル音楽プレーヤーに登録されている対応ビットと照合することで、認証が得られれば再生が可能になる。この場合、デジタル音楽プレーヤーの製造メーカーが、あらかじめデジタル音楽プレーヤーの中に、製造メーカーのデジタル音楽レコーダーを示す対応ビットを埋込み、ユーザーには意識させることなく、透かし情報から抽出した対応ビットと認証するようにしても良いし、ネットーワーク上にある、ユーザーが好みのデジタル音楽データ配信サイトから、この対応ビットをあらかじめ送付してもらい、それをデジタル音楽プレーヤに記憶させ、配信されるデジタル音楽データ内の透かし情報を抽出し、対応ビットを照合する構成としても良い。
【００５２】
（第３の実施の形態）
第１の実施の形態、第２の実施の形態では入力情報に対して、例えば、図１のイメージサーバー１４０では透かし埋込部１４１によって電子透かし情報を埋込むが、電子透かし情報を埋込む前に透かし抽出部１４２において、電子透かし情報を埋込むデジタルデータに対して、すでに透かし情報が埋まっていないかを調査し、埋まっている場合には、上書きしないような構成としても良いし、逆に透かし埋込部１４１によって上書き、もしくは先の透かし情報に対して影響を与えない形で電子透かし情報を埋込む構成としても良い。
【００５３】
【発明の効果】
以上説明した通り、本発明によれば、異なるデジタル機器が混在して用いられるネットワーク上においても、デジタルデータのやり取りが可能になり、各機器を示す対応ビットを電子透かし情報としてデジタルデータに埋込み、対応ビットもしくは鍵情報が一致しない場合には、出力できない構成とすることで、不正なコピーが用意なデジタルデータの配信および出力において効果的に対処することができる。
【図面の簡単な説明】
【図１】第１の実施の形態において電子透かしの埋め込みおよび抽出に関する概要を説明する図。
【図２】第１の実施の形態において電子透かしの対応ビットに関する概要を説明する図。
【図３】第２の実施の形態において透かし情報管理機関に関する概要を説明する図。
【図４】電子透かしの埋め込み及び抽出処理を説明する概念図。
【符号の説明】
１００  ＭＦＰ
１０１  透かし埋込部
１０２  透かし抽出部
１１０  スキャナー
１１１  透かし埋込部
１２０  プリンタ
１２２  透かし抽出部
１３０  ホストコンピュータ
１３１  透かし埋込部
１３２  透かし抽出部
１４０  イメージサーバー
１４１  透かし埋込部
１４２  透かし抽出部
１５０  デジタル入力機
１５１  透かし埋込部
１６０  デジタル出力機
１６２  透かし抽出部
１７０  ＬＡＮ
【図１】
2004304715.tif 000003
【図２】
2004304715.tif 000004
【図３】
2004304715.tif 000005
【図４】
2004304715.tif 000006